【手続補正書】
【提出日】平成23年5月24日(2011.5.24)
【手続補正１】
【補正対象書類名】明細書
【補正対象項目名】００８１
【補正方法】変更
【補正の内容】
【００８１】
親子通信制御部５６は、子機２０２側で親子機間の通信形態を制御する制御機能部であって、親子機間が接合状態であれば有線接続とし、親子機間が分離状態であれば無線接続とする。この親子通信制御部５６は既述の電源ＯＮ指示や電源ＯＦＦ指示の送受を行う。
【手続補正２】
【補正対象書類名】明細書
【補正対象項目名】００８２
【補正方法】変更
【補正の内容】
【００８２】
Bluetooth 通信制御部５８は、近距離無線通信制御部の一例であって、親機２０１とのBluetooth 通信を制御する機能部である。また、有線通信制御部６０は、既述のように、親子機間の接合によって接続する。
【手続補正３】
【補正対象書類名】明細書
【補正対象項目名】００８６
【補正方法】変更
【補正の内容】
【００８６】
無線通信部７２は、アンテナ８８を備え、プロセッサ７０の制御により基地局を介して既述の通信ネットワーク４８と無線通信により、通話やデータ通信を行う。この無線通信部７２は例えば、広域符号分割多元接続〔Ｗ−ＣＤＭＡ（Wideband Code Division Multiple Access）〕無線通信部で構成される。
【手続補正４】
【補正対象書類名】明細書
【補正対象項目名】００９４
【補正方法】変更
【補正の内容】
【００９４】
接合・分離検出部８６は、親機２０１側にあって、親機２０１に子機２０２が接合されているか、親機２０１から子機２０２が分離されているかを検出する手段の一例であり、例えば、接合・分離検出デバイスで構成される。この接合又は分離は、例えば、端子間接合の有無を電位によって検出すればよい。この場合、接合・分離検出部８６に親機２０１と子機２０２との分離状態が検出された場合、Bluetooth 通信部８２の無線接続の契機となる。また、接合・分離検出部８６に親機２０１と子機２０２との接合状態が検出された場合、有線通信部８４の有線接続の契機となる。この接合・分離検出部８６には例えば、汎用入出力ポート（ＧＰＩＯ：General Purpose Input Output）で構成すればよく、子機２０２が通電状態であれば、接合及びその電源制御状態を表す出力信号（パルスＨ）を出力させ、これを検出すればよい。
【手続補正５】
【補正対象書類名】明細書
【補正対象項目名】０１０４
【補正方法】変更
【補正の内容】
【０１０４】
有線通信部１１２は、プロセッサ１００の制御により、親機２０１に接合した際に有線接続する有線接続手段であって、既述のＵＡＲＴ接続により有線接続を行う。この有線通信部１１２は、親機２０１の端子間を接合した場合、既述の有線接続を行う。
【手続補正６】
【補正対象書類名】明細書
【補正対象項目名】０１０５
【補正方法】変更
【補正の内容】
【０１０５】
接合・分離検出部１１４は、子機２０２側にあって、子機２０２が親機２０１に接合されているか、子機２０２が親機２０１から分離されているかを検出する手段の一例であり、既述の通り、例えば、接合・分離検出デバイスで構成される。この接合又は分離は、例えば、端子間接合の有無を電位によって検出すればよい。親機２０１側と同様に、接合・分離検出部１１４に親機２０１と子機２０２との分離状態が検出された場合、Bluetooth 通信部１１０の無線接続の契機となる。また、接合・分離検出部１１４に親機２０１と子機２０２との接合状態が検出された場合、有線通信部１１２の有線接続の契機となる。この接合・分離検出部１１４には既述の例えば、汎用入出力ポート（ＧＰＩＯ）で構成すればよく、親機２０１が通電状態であれば、接合及びその電源制御状態を表す出力信号（パルスＨ）を出力させ、これを検出すればよい。
【手続補正７】
【補正対象書類名】明細書
【補正対象項目名】０１２８
【補正方法】変更
【補正の内容】
【０１２８】
この起動処理中に親機２０１側の接合・分離検出部８６に子機２０２からの出力信号が加えられたかを監視する（ステップＳ１０３）。
【手続補正８】
【補正対象書類名】明細書
【補正対象項目名】０１２９
【補正方法】変更
【補正の内容】
【０１２９】
親機２０１側で子機２０２からの出力信号が検出されなければ（ステップＳ１０３のＮＯ）、子機２０２側のブート処理を行い（ステップＳ１０４）、このブート処理の後、親機２０１及び子機２０２がともに待受け状態に移行する（ステップＳ１０５）。
【手続補正９】
【補正対象書類名】明細書
【補正対象項目名】０１３０
【補正方法】変更
【補正の内容】
【０１３０】
また、親機２０１側で子機２０２からの信号が検出されれば（ステップＳ１０３のＹＥＳ）、子機２０２のブート処理は完了しているので、親機２０１及び子機２０２がともに待受け状態に移行する（ステップＳ１０５）。
【手続補正１０】
【補正対象書類名】明細書
【補正対象項目名】０１３４
【補正方法】変更
【補正の内容】
【０１３４】
この起動処理中に子機２０２側の接合・分離検出部１１４に親機２０１からの信号が加えられたかを監視する（ステップＳ２０３）。
【手続補正１１】
【補正対象書類名】明細書
【補正対象項目名】０１３５
【補正方法】変更
【補正の内容】
【０１３５】
子機２０２側で親機２０１からの出力信号が検出されなければ（ステップＳ２０３のＮＯ）、親機２０１側のブート処理を行い（ステップＳ２０４）、このブート処理の後、親機２０１及び子機２０２がともに待受け状態に移行する（ステップＳ２０５）。
【手続補正１２】
【補正対象書類名】明細書
【補正対象項目名】０１３６
【補正方法】変更
【補正の内容】
【０１３６】
また、子機２０２側で親機２０１からの信号が検出されれば（ステップＳ２０３のＹＥＳ）、親機２０１のブート処理は完了しているので、親機２０１及び子機２０２がともに待受け状態に移行する（ステップＳ２０５）。
【手続補正１３】
【補正対象書類名】明細書
【補正対象項目名】０１６３
【補正方法】変更
【補正の内容】
【０１６３】
子機２０２側では電源ボタン１８のＯＮ・ＯＦＦが監視され（ステップＳ７０１）、電源ボタン１８をＯＮにすると、電源部１０９がＯＮとなる（ステップＳ７０２）。このＯＮ状態への移行により、電源制御部５０から親機ＯＮ指示が生成される（ステップＳ７０３）。この親機ＯＮ指示は、親子通信制御部５６に通知され（ステップＳ７０４）、親子通信部５６から有線通信部１１２に通知され（ステップＳ７０５）、この有線通信部１１２から親機２０１側の有線通信部８４に通知される（ステップＳ７０６）。更に、この親機ＯＮ指示は、親子通信制御部４２に通知され（ステップＳ７０７）、この親子通信制御部４２から電源制御部３８に通知される（ステップＳ７０８）。この親機ＯＮ指示により、電源制御部３８は親機２０１の電源部８１をＯＮにする（ステップＳ７０９）。
【手続補正１４】
【補正対象書類名】明細書
【補正対象項目名】０１８４
【補正方法】変更
【補正の内容】
【０１８４】
(5) 上記実施の形態では、分離した際に通話や操作を可能とするため、近距離通信技術である無線ＬＡＮ機能やBluetooth 通信機能を利用している。Bluetooth 通信では、キーボード制御のためのＨＩＤ、通話制御のためのＨＦＰ等の通信制御方式を規格化している。このBluetooth 通信は、無線ＬＡＮよりも消費電力が小さくて済むという利点があるが、Bluetooth デバイスへ常時電力を供給する電池が消耗することになる。上記実施の形態では、未使用の場合はBluetooth デバイスの電源をＯＦＦにするので、消費電力を低減でき、セパレート型携帯電話機２０の低消費電力化をより高めることができる。